(57)【特許請求の範囲】
【請求項１】
ミニディスクの規格に合った外径の外側円と、該外側円と同心円の内側円の孔を有し、
データが記録されたデータ記録領域を備えるリング板と、
該リング板の孔に固着された、該リング板の内側円の内径と等しい外径を有し、内周縁側の管理記録領域及びその外側のデータが記録されたデータ記録領域を備えるディスク小板とからなり、
上記リング板及び上記ディスク小板のうちの一方がピット記録板であり、他方が光磁気記録板であることを特徴とするサーボ調整用のピット記録板／光磁気板複合ディスク。
【発明の詳細な説明】
【０００１】
【発明の属する技術分野】
本発明は、ミニディスク記録再生装置のサーボ調整用のディスクに関する。
【０００２】
【従来の技術】
従来のミニディスク記録再生装置におけるサーボ調整では、ミニディスクの高反射率のピット記録ディスク及び低反射率の光磁気ディスクを各別に装填して、各ディスク毎のフォーカスバイアス調整値、トラッキング用ディスクのバランス調整値、フォーカスサーボゲイン調整値、トラッキングサーボゲイン調整値、スレッドサーボゲイン調整値、スピンドルサーボゲイン調整値等を決定し、こられ調整値を、製品の最終調整動作による調整値を得るための、デフォルト値に対する補正値としてＥＥＰＲＯＭに記憶させるようにしていた。
【０００３】
【発明が解決しようとする課題】
従来は、光磁気ディスク及びピット記録ディスクを個別に装填して、ミニディスク記録再生装置のサーボ調整を行っていたので、２種類のディスクのそれぞれ装填及び排出の手間を要し、多数のミニディスク記録再生装置のサーボ調整を行う場合は、多大な手間及び多大な時間が掛かるという欠点があった。
【０００４】
かかる点に鑑み、本発明は、ミニディスク記録再生装置のサーボ調整を迅速に行うことのできるサーボ調整用ディスクを提案しようとするものである。
【０００５】
【課題を解決するための手段】
本発明によるサーボ調整用のピット記録板／光磁気板複合ディスクは、ミニディスクの規格に合った外径の外側円と、その外側円と同心円の内側円の孔を有し、データが記録されたデータ記録領域を備えるリング板と、そのリング板の孔に固着された、そのリング板の内側円の内径と等しい外径を有し、内周縁側の管理記録領域及びその外側のデータが記録されたデータ記録領域を備えるディスク小板とからなり、リング板及びディスク小板のうちの一方がピット記録板であり、他方が光磁気記録板である。
【０００６】
かかる本発明によれば、そのサーボ調整用のピット記録板／光磁気板複合ディスクは、リング板と、ディスク小板とから構成される。そして、リング板は、ミニディスクの規格に合った外径の外側円と、その外側円と同心円の内側円の孔を有し、データが記録されたデータ記録領域を備える。ディスク小板は、リング板の孔に固着された、そのリング板の内側円の内径と等しい外径を有し、内周縁側の管理記録領域及びその外側のデータが記録されたデータ記録領域を備える。そして、リング板及びディスク小板のうちの一方がピット記録板であり、他方が光磁気記録板である。
【０００７】
【発明の実施の形態】
本発明は、ミニディスクの規格に合った外径の外側円と、その外側円と同心円の内側円の孔を有し、データが記録されたデータ記録領域を備えるリング板と、そのリング板の孔に固着された、そのリング板の内側円の内径と等しい外径を有し、内周縁側の管理記録領域及びその外側のデータが記録されたデータ記録領域を備えるディスク小板とからなり、リング板及びディスク小板のうちの一方がピット記録板であり、他方が光磁気記録板であるサーボ調整用のピット記録板／光磁気板複合ディスクである。
【０００８】
〔発明の実施の形態の具体例〕
以下に、図１を参照して、本発明の実施の形態の具体例のサーボ調整用のピット記録板／光磁気板複合ディスクを説明する。図１において、Ａ、Ｂ、Ｃはディスク等の平面図、Ｄ、Ｅ、Ｆはその各直径方向の断面図である。
【０００９】
図１Ｃ、Ｆに示す複合ディスクＤ２は、図１Ｂ、Ｅ及び図１Ｃ、Ｆに示す、ミニディスクの規格に合った外径（６４ｍｍ）の外側円と、その外側円と同心円の内側円（その内径は、例えば、４５ｍｍ）の孔Ｈを有し、データが記録されたデータ記録領域を備えるリング板ＲＰと、図１Ａ、Ｄ及び図１Ｃ、Ｆに示す、そのリング板ＲＰの孔Ｈに、例えば、接着剤によって固着された、そのリング板ＲＰの内側円の内径と等しい外径（従って、その外径は４５ｍｍとなる）を有し、内周縁側の目次（ＴＯＣ：Table of Contents)記録領域（内側の低反射率の目次ピット記録領域及び外側の低反射率の光磁気目次記録領域からなる）及びその外側のデータが記録されたデータ記録領域を備えるディスク小板Ｄ１とからなる。
【００１０】
光磁気ディスク小板Ｄ１の中心部には、着磁金属からなるクランピンプレートＣＰが設けられている。このクランピンプレートＣＰは、通常、光ディスク（光磁気ディスク、ピット記録ディスク）に設けられているものと同じである。
【００１１】
そして、図１の場合は、リング板ＲＰが、ピット記録板、即ち、アルミニューム膜が表面に蒸着された高反射率のピット記録リング板であり、ディスク小板Ｄ１が光磁気板、即ち、光磁気膜が表面に蒸着された低反射率の光磁気ディスク小板である。
【００１２】
この複合ディスクＤ２は、通常の光ディスク（光磁気ディスク、ピット記録ディスク）と同様に、偏平なカートリッジ内に収納する。
【００１３】
尚、図１とは逆に、リング板ＲＰが光磁気板、即ち、光磁気膜が表面に蒸着された低反射率の光磁気リング板であり、ディスク小板Ｄ１がピット記録板、即ち、アルミニューム膜が表面に蒸着された高反射率のピット記録ディスク小板であっても良い。この場合は、光磁気リング板はデータの記録されたデータ記録領域を備え、ピット記録ディスク小板は、内周縁側の目次（ＴＯＣ）記録領域及びその外側のデータが記録されたデータ記録領域を備えている。
【００１４】
次に、図２を参照して、ミニディスク記録再生装置の具体例を説明する。１は光ディスク（光磁気ディスク又はピット記録ディスク）で、記録再生装置に装填され、又、これから排出される。この光ディスク１はスピンドルモータ２によって駆動される。３は光学ヘッドで、再生時は光ディスク（光磁気ディスク又はピット記録ディスク）１に、対物レンズよりの集束レーザビームを照射し、その反射レーザビームから、光検出器を用いてその記録信号（被変調音声信号）を再生する。記録時は、光学ヘッド３が、光ディスク（光磁気ディスク）１に、再生時より高出力の、対物レンズよりの集束レーザビームを照射して、光ディスク１の記録部をキューリー点温度以上に加熱すると共に、光ディスク１を介して光学ヘッド３と対向する磁気ヘッド６ａに、磁気ヘッド駆動回路６からの被変調音声信号を供給することによって、磁気ヘッド６ａが光ディスク１に与える磁界を変調して、光ディスク１にその被変調音声信号を記録する。
【００１５】
光学ヘッド３は、レーザダイオード、偏光ビームスプリッタ、対物レンズ等からなる光学系、光ディスク１からの反射レーザビームが照射されて、被変調音声信号、フォーカスエラー信号、トラッキングエラー信号等が検出される光検出器、対物レンズを、トラックエラー信号に基づいて、トラックと直行する方向に駆動すると共に、フォーカスエラー信号に基づいて、光ディスク１に対し近接及び離間させる２軸駆動手段等を備えている。
【００１６】
５はスレッド手段（スレッドモータを含む）で、光学ヘッド３を光ディスク１の半径方向に移動させる。
【００１７】
再生時における光学ヘッド３よりの高周波再生信号は、ＲＦ（高周波）アンプ７に供給され、ここで再生信号の演算によって、再生音声データ、トラックエラー信号、フォーカスエラー信号等が抽出され、これら信号がデジタルサーボ回路９に供給される。
【００１８】
デジタルサーボ回路９は、ＲＦアンプ７からのトラックエラー信号、フォーカスエラー信号、システムコントローラ｛マイコン（マイクロコンピュータ）を備えている｝１１からのトラックジャンプ指令信号、光ディスク１に対するアクセス信号、スピンドルモータ２に対する回転速度検出信号等に基づいて、ＰＷＭ（パルス幅変調）信号からなる各種サーボ信号を発生して、サーボ駆動回路８に供給する。
【００１９】
サーボ駆動回路８は、デジタルサーボ回路９から供給されるＰＷＭ信号のパルスデューティに応じた電力、即ち、フォーカス駆動電圧、トラッキング駆動電圧スレッド駆動信号、モータ駆動信号を、それぞれ光学ヘッド３の２軸駆動手段、スレッド手段５、モータ駆動回路１３に供給して、それぞれフォーカス制御、トラッキング制御、スレッディング制御、光ディスク１を線速一定で回転させるためのスピンドルモータ２の回転制御を行う。
【００２０】
１０は信号処理部で、エンコーダ／デコーダ部１０ａ、メモリコントロール部１０ｂ、音声圧縮処理部１０ｃから構成される。ＲＦアンプ７から、デジタルサーボ回路９を通じて得られた再生音声データは、エンコーダ／デコーダ部１０ａに供給されて、ＥＦＭ（８−１４変調）デコード、ＣＩＲＣ（クロスインターリーブリードソロモンコード）処理、ＣＤ−ＲＯＭデコード等が行われた後、メモリコントロール部１０ｂを通じて、バッファＲＡＭ１２に書き込まれて記憶される。
【００２１】
バッファＲＡＭ１２から、所定のタイミングで再生音声データが読み出されて、エンコーダ／デコーダ部１０ａに供給されて、音声圧縮処理部１０ｃによって、音声圧縮デコード処理等の再生信号処理が行われて、１６ビット量子化、４４．１ｋＨｚサンプリングのデジタル音声データが得られる。
【００２２】
このデジタル音声データは、Ｄ／Ａ変換及びＡ／Ｄ変換回路１４に供給されて、そのＤ／Ａ変換部１４ａによって、アナログ音声信号（左及び右音声信号）に変換されて、ライン出力端子１５から出力されるか、又は、電子ボリューム１６及びＨＰ（ヘッドフォン）アンプ１７を通じて、ヘッドフォンの端子が結合される出力端子１８に供給される。
【００２３】
かかる光ディスク１の再生時においては、アドレス情報や制御動作に使用されるサブコードデータが、信号処理部１０のエンコーダ／デコーダ部１０ａで抽出されて、システムコントローラ１１に供給されて、各種の制御に用いられる。
【００２４】
出力端子１８に接続されて使用されるヘッドフォンにリモート制御器が設けられている場合は、そのリモート制御器からの制御信号が、リモコン入出力端子（ヘッドフォン出力端子１８と同一部位に、例えば、４端子コネクタの一部として設けられている）１９から、システムコントローラ１１に供給される。リモート制御器に表示部が設けられている場合は、システムコントローラ１１からの制御信号が、そのリモート制御器の表示部に供給される。
【００２５】
光ディスク（光磁気ディスク）１に記録が行われる場合は、ＯＰＴ（光）／ライン入力端子２０、又は、マイク入力端子２１からの音声信号が、それぞれＡＧＣ回路２３、又は、マイクアンプ２２に供給される。マイクアンプ２２よりの音声信号は、ＡＧＣ回路２３に供給される。ＡＧＣ回路２３からの音声信号は、電子ボリューム２４を通じて、Ｄ／Ａ変換及びＡ／Ｄ変換回路１４のＡ／Ｄ変換部１４ｂに供給されで、１６ビット量子化、４４．１ｋＨｚサンプリングのデジタル音声データが得られる。
【００２６】
このＡ／Ｄ変換部１４ｂからのデジタル音声信号は、信号処理部１０のエンコーダ／デコーダ部１０ａに供給されて、音声圧縮処理部１０ｃによって、音声圧縮エンコード処理が行われる。尚、ＯＰＴ（光）／ライン入力端子２０にデジタル音声信号が供給された場合は、そのデジタル音声信号は、デジタルサーボ回路９を通じて、信号処理部１０のエンコーダ／デコーダ部１０ａに直接供給される。
【００２７】
エンコーダ／デコーダ部１０ｃ及び音声圧縮処理部１０ｃによって圧縮エンコードされた記録データは、メモリコントロール部１０ｂを通じて、一端バッファＲＡＭ１２に書き込まれ、又、その記録データは、所定のタイミングで読み出されて、エンコーダ／デコーダ部１０ｃに供給されて、ＥＦＭ変調処理され、ＣＩＲＣ処理され、音声圧縮処理部１０ｃによって、音声圧縮エンコードされた後、デジタルサーボ回路９を通じて、磁気ヘッド駆動回路６に供給される。
【００２８】
磁気ヘッド駆動回路６では、エンコード処理された記録データに応じて、磁気ヘッド６ａに磁気ヘッド駆動信号を供給する。このとき、システムコントローラ１１は、光学ヘッド３を制御して、光学ヘッド３から記録のための高出力の集束レーザビーム発生させて、光ディスク１の磁気ヘッド６ａによって磁界の掛けられる部分に照射させる。
【００２９】
又、記録時において、デジタルサーボ回路９は磁気ヘッド６ａに対する位置サーボを行い、磁気ヘッド６ａと光ディスク１の相対距離を略一定に保つようにする。スピンドルサーボは、光ディスク１上のグルーブから得られるクロックを基準クロックと比較して、サーボエラー信号を生成し、光ディスク１が線速一定に回転するように、スピンドルモータ２を制御する。
【００３０】
表示器２５は、例えば、液晶表示器にて構成され、この表示器２５は、システムコントローラ１１の制御に基づいて、記録再生装置の動作状態、光ディスク１のトラッキングナンバー、時間情報、文字情報等を表示する。
【００３１】
キーボード２６には、再生キー、記録キー、停止キー、ＡＭＳ（オートマティックミュージックセンサ）キー、サーチキー等の各種キーが設けられている。
【００３２】
ステッパモータ２８及びステッパモータ駆動回路２７は、光ディスク１に対し磁気ヘッド６ａを上げ下ろし動作させるための駆動部で、システムコントローラ１１によって制御される。
【００３３】
ＥＥＰＲＯＭ（Electrically Erasable Programmable Read-Only Memory)２９には、図１に示したサーボ調整用のピット記録板／光磁気板複合ディスク３を記録再生装置に装填したときの、デジタルサーボ方式における高反射率のピット記録板及び低反射率の光磁気板による各種サーボ係数等の調整値が保持されている。記録／再生動作時には、システムコントローラ１１は、ＥＥＰＲＯＭ２９から所要の係数を取り出し、デジタルサーボ回路９に供給することになる。
【００３４】
この調整値としては、具体的には、ピット記録板及び光磁気板毎の、フォーカスバイアス調整値、トラッキング用ディスクのバランス調整値、フォーカスサーボゲイン調整値、トラッキングサーボゲイン調整値、スレッドサーボゲイン調整値、スピンドルサーボゲイン調整値等がある。これらの調整値は、システムコントローラ１１内にデフォルト値として保持されているが、ＥＥＰＲＯＭ２９には、実際には、製品の最終調整動作による調整値を得るための、デフォル値に対する補正値が記憶されるようにしている。
【００３５】
時計３０は、常時、年月日時分秒を刻んでおり、システムコントロール１１はこの時計３０から、年月日時分秒の情報を得て、これを利用している。この時計３０の電源として使用される電池３６は、マンガンリチウム電池等の小型電池が使用される。
【００３６】
電源回路３１は、記録再生装置の各部に動作電圧を供給する。電源回路３１には、電源としての電池（乾電池、充電式電池）３３を用いる他に、直流電圧入力端子３２供給されるＡＣアダプタからの直流電圧を用いる。
【００３７】
電源回路３１からの電源電圧は、マイコン用電源回路３５を通じて、システムコントローラ１１に供給される。又、電源回路３１からの直流電圧をＤＣ−ＤＣコンバータ３４に供給して、これより得られた直流電圧を、記録再生装置の各部に供給する。
【００３８】
このミニディスク記録再生装置において、システムコントローラ１１は、各種の調整項目についての自動調整装置としての機能を有しており、製造工程の途中や最終的な調整段階において、上述したフォーカスバイアス調整、サーボゲイン調整等を行うことができるようにしている。
【００３９】
システムコントローラ１１は、リセット／スタートされた状態から、設計テストモード、自動調整モード、通常モードのいずれかに入るようにされている。
【００４０】
設計テストモードは、製造工程中において基板単品での動作チェックや、試作検討時の種々のデータの読出し／書込みを行うためのモードである。
【００４１】
自動調整モードは、フォーカス調整等の各種調整項目の調整動作を自動的に実行し、保持しているデフォルト調整値に対する補正値をＥＥＰＲＯＭ２９に記憶させる動作を行うモードである。又、補正値をＥＥＰＲＯＭ２９に記憶させる際、そのチェックサムについても書き込むようにしている。
【００４２】
通常モードは、例えば、出荷後のユーザー使用時などで通常に立ち上がる際のモードであり、即ち、電源投入の操作に伴って、システムコントローラ１１がセット／リセットされる場合等で、記録／再生動作に対する準備動作となるモードである。
【００４３】
次に、図３を参照して、上述の３つのモードのいづれにおいて立ち上がるかについて、システムコントローラ１１の判断処理を説明する。システムコントローラ１１がリセット／スタートされた際に、ステップＳＴ−１で、システムコントローラ１１のテスト端子がＬ（低）レベルであるか否かを判断し、ＹＥＳのときはステップＳＴ−５に移行して、設計テストモード（ステップＳＴ−５）が立ち上がる。
【００４４】
ステップＳＴ−１の判断で、ＮＯのときはステップＳＴ−２に移行して、システムコントローラ１１が特殊操作さてているか否かを判断し、ＹＥＳのときはステップＳＴ−５に移行して、設計動作モードとなる。この特殊操作は、例えば、ホールドオン状態で、キーボード２６の再生キーと停止キーを同時に押す等である。
【００４５】
ステップＳＴ−２の判断でＮＯときは、ステップＳＴ−３に移行して、ＥＥＰＲＯＭのチェックサムはＯＫか否かを判断し、ＮＯのときは、ステップＳＴ−４に移行して、自動調整モードが立ち上がる。
【００４６】
ステップＳＴ−３の判断でＹＥＳのときは、ステップＳＴ−６に移行して通常モード（出荷ＯＫ）になる。
【００４７】
ステップＳＴ−５の設計テストモードに入るには、システムコントローラ１１のテスト端子をＬにするか、又は、ユーザー使用の際に通常行われることのない特殊操作を行えば良いように、プログラムが組まれている。従って、単板製品について動作チェックを行う場合には、作業者はシステムコントローラ１１のテスト端子をＬにするか、特殊操作を行っている状態で、システムコントローラ１１をリセット／スタートさせれば、ステップＳＴ−５の設計テストモードで立ち上げることができる。
【００４８】
リセット／スタート時に、ステップＳＴ−１、２の両方で否定結果が得られた場合、システムコントローラ１１はＥＥＰＲＯＭ２９におけるデータについてのチェックサム判定を行う（ステップＳＴ−３）。ここで、もしこのリセット／スタート時に最終的な自動調整動作が行われていなければ、ＥＥＰＲＯＭ２９内には調整値の補正データは格納されていないので、チェックサムエラーとなる。チェックサムエラーとなった場合、システムコントローラ１１は自動調整がまだ実行されていないと判断して、自動調整モード（ステップＳＴ−４）に移行する。そして、フォーカスバイアス調整、サーボゲイン調整などの項目について調整動作を行い、その調整結果に応じた補正値をＥＥＰＲＯＭ２９に保存する。このとき保存したデータのチェックサムについても保存することになる。
【００４９】
尚、設計テストモード内で自動調整設計を実行するできるようにすることもできるが、そのような場合も同様に調整動作により得られた値と共にチェックサムを記憶するようにする。
【００５０】
自動調整が行われた時点以降でシステムコントローラ１１がリセット／スタートされる場合には、ステップＳＴ−３でチェックサムが正常終了し、ステップＳＴ−６の通常モードに移行することになる。即ち、製造工程内でステップＳＴ−６に進場合とは、既に出荷ＯＫと判断されることになる。
【００５１】
このように、システムコントローラ１１がリセット／スタートされた時点で設計スタートモードとされた場合以外では、必ずＥＥＰＲＯＭ２９の格納データについてのチェックサムが取られ、正しい調整補正値が書き込まれているかが確認される。そして、チェエクサムエラーとなった場合は、自動的に自動調整モードに移行して自動調整が行われるものとなる。
【００５２】
従って、出荷前の最終チェック工程では、例えば、システムコントローラ１１を立ち上げるという動作を行うのみでよいことになる。即ち、システムコントローラ１１を立ち上げる（リセット／スタート）ことによって、最終調整の実行済か否かがチェックサムによって判断されるため、通常モードとして立ち上がった場合は、出荷ＯＫの製品として判断できる。又、最終調整がなされていなかった場合であれば、そのまま自動調整に入るため、この時点で最終調整が行われることになる。
【００５３】
これによって、最終的な出荷製品の確認は頗る簡易なものになり、又、簡易な確認にも拘らず、出荷される製品に最終調整が実行されていないものは存在しないことになる。このため、出荷までの工程が効率化される。
【００５４】
【発明の効果】
本発明によれば、ミニディスクの規格に合った外径の外側円と、その外側円と同心円の内側円の孔を有し、データが記録されたデータ記録領域を備えるリング板と、そのリング板の孔に固着された、そのリング板の内側円の内径と等しい外径を有し、内周縁側の管理記録領域及びその外側のデータが記録されたデータ記録領域を備えるディスク小板とからなり、リング板及びディスク小板のうちの一方がピット記録板であり、他方が光磁気記録板であるので、ミニディスク記録再生装置のサーボ調整を迅速に行うことのできるサーボ調整用ディスクを得ることができる。
【図面の簡単な説明】
【図１】本発明の実施の形態の具体例のサーボ調整用のピット記録板／光磁気板複合ディスク及びその製造工程を示すディスク等の平面図及び断面図である。
【図２】本発明の実施の形態の具体例のサーボ調整用のピット記録板／光磁気板複合ディスクを装填して、サーボ調整を行うミニディスク記録再生装置の一例を示すブロック線図である。
【図３】図２のミニディスク記録再生装置の動作説明に供するフローチャートである。
【符号の説明】
Ｄ１  光磁気ディスク小板、ＣＰ  クランピングプレート、ＲＰ  ピット記録リング板、Ｈ  孔、Ｄ２  複合ディスク板。
【図１】
0003777795.tif 000002
【図２】
0003777795.tif 000003
【図３】
0003777795.tif 000004